(57)【特許請求の範囲】
【請求項１】
複数のガスを検知可能なガス検知部と、
前記複数のガスの各々の検知結果を同時に表示する第１の表示状態で表示可能な表示部と、を備え、
前記複数のガスのうちの一部のガスである、所定のガスの濃度が所定の範囲を超える場合に、前記所定のガス以外のガスのうちの少なくとも一部の検知結果は前記表示部に表示されずに前記所定のガスの検知結果が前記表示部に拡大表示される第２の表示状態に切り替わるように構成され、
前記表示部は、複数のセグメントから構成され、前記複数のガスの各々のガスの検知結果をそれぞれ表示する複数の表示領域を含み、
前記第２の表示状態において、互いに隣接する前記表示領域の前記複数のセグメントが組み合わさることによって、前記所定のガスの検知結果が前記表示部に拡大表示されるように構成されている、警報器。
【請求項２】
複数のガスを検知可能なガス検知部と、
前記複数のガスの各々の検知結果を同時に表示する第１の表示状態で表示可能な表示部と、を備え、
前記複数のガスのうちの一部のガスである、所定のガスの濃度が所定の範囲を超える場合に、前記所定のガス以外のガスのうちの少なくとも一部の検知結果は前記表示部に表示されずに前記所定のガスの検知結果が前記表示部に拡大表示される第２の表示状態に切り替わるように構成され、
前記表示部は、前記第２の表示状態において、前記表示部に前記所定のガスの検知結果を拡大表示するとともに、前記所定のガスの濃度が前記所定の範囲を超えていることを示す文字を、前記第１の表示状態における前記複数のガスの各々の検知結果の表示領域のうちの前記所定のガスの表示領域に隣接する領域に、表示するように構成されている、警報器。
【請求項３】
前記所定のガスの濃度が前記所定の範囲を超える場合に、前記第１の表示状態と前記第２の表示状態とが交互に切り替わるように構成されている、請求項１または２に記載の警報器。
【請求項４】
ガス校正の場合に、校正対象ガスの検知結果が前記表示部に拡大表示される第３の表示状態に切り替わるか、または、警報器本体に異常が生じた場合に、異常の情報が前記表示部に拡大表示される第４の表示状態に切り替わるかの少なくとも一方が行われるように構成されている、請求項１〜３のいずれか１項に記載の警報器。
【請求項５】
前記ガス検知部と前記表示部とが配置され、携帯可能な大きさに形成された警報器本体をさらに備える、請求項１〜４のいずれか１項に記載の警報器。
【発明の詳細な説明】
【技術分野】
【０００１】
この発明は、警報器に関し、特に、複数のガスを検知可能なガス検知部を備える警報器に関する。
【背景技術】
【０００２】
従来、複数のガスを検知可能なガス検知部を備える警報器が知られている（たとえば、特許文献１参照）。
【０００３】
上記特許文献１には、４つのガスセンサと、４つのガスセンサの検知結果が表示される表示部と、ガス検知報知機構とを備える可搬式ガス警報器が開示されている。この可搬式ガス警報器では、ガス検知報知機構は、ブザー、警報用発光素子および警報用振動発生器を含んでいる。また、可搬式ガス警報器では、４種のガスのうちの一部のガスが基準値を超えた際に、ガス検知報知機構を駆動させることによって、ブザー音、発光および振動により警報をユーザに報知するように構成されている。
【先行技術文献】
【特許文献】
【０００４】
【特許文献１】特開２００９−２８１９８２号公報
【発明の概要】
【発明が解決しようとする課題】
【０００５】
しかしながら、上記特許文献１に記載の可搬式ガス警報器では、複数のガスのうちの一部のガスが基準値を超えた際に、ブザー音、発光および振動により警報を報知するように構成されているものの、ブザー音、発光および振動にはいずれのガスが基準値を超えたかについての情報は含まれないと考えられる。このため、いずれのガスが基準値を超えたかをユーザは明確に認識することができないという問題点がある。
【０００６】
この発明は、上記のような課題を解決するためになされたものであり、この発明の１つの目的は、いずれのガスの濃度が所定の範囲を超えたかをユーザに明確に認識させることが可能な警報器を提供することである。
【課題を解決するための手段】
【０００７】
この発明の第１の局面による警報器は、複数のガスを検知可能なガス検知部と、複数のガスの各々の検知結果を同時に表示する第１の表示状態で表示可能な表示部と、を備え、複数のガスのうちの一部のガスである、所定のガスの濃度が所定の範囲を超える場合に、所定のガス以外のガスのうちの少なくとも一部の検知結果は表示部に表示されずに所定のガスの検知結果が表示部に拡大表示される第２の表示状態に切り替わるように構成され、表示部は、複数のセグメントから構成され、複数のガスの各々のガスの検知結果をそれぞれ表示する複数の表示領域を含み、第２の表示状態において、互いに隣接する表示領域の複数のセグメントが組み合わさることによって、所定のガスの検知結果が表示部に拡大表示されるように構成されている。
【０００８】
この発明の第１の局面による警報器では、上記のように、所定のガスの濃度が所定の範囲を超える場合に、所定のガス以外のガスのうちの少なくとも一部の検知結果は表示部に表示されずに所定のガスの検知結果が表示部に拡大表示される第２の表示状態に切り替わるように構成する。これにより、所定のガスの濃度が所定の範囲を超えた場合に表示部に所定のガスの検知結果が拡大表示されるので、いずれのガスの濃度が所定の範囲を超えたかをユーザに明確に認識させることができる。また、複数の微細な画素がマトリックス状に配置された一般的な表示部と比べて、表示サイズの切り替えが容易ではない複数のセグメントから表示部が構成されている場合であっても、複数のセグメントを組み合わせて所定のガスの検知結果を表示部に拡大表示することにより、いずれのガスの濃度が所定の範囲を超えたかをユーザに明確に認識させることができる。また、複数のセグメントから表示部を構成することによって、複数の微細な画素がマトリックス状に配置された一般的な表示部と比べて、表示部にガスの検知結果を表示するための制御を簡素化することができる。
【０００９】
この発明の第２の局面による警報器は、複数のガスを検知可能なガス検知部と、複数のガスの各々の検知結果を同時に表示する第１の表示状態で表示可能な表示部と、を備え、複数のガスのうちの一部のガスである、所定のガスの濃度が所定の範囲を超える場合に、所定のガス以外のガスのうちの少なくとも一部の検知結果は表示部に表示されずに所定のガスの検知結果が表示部に拡大表示される第２の表示状態に切り替わるように構成され、表示部は、第２の表示状態において、表示部に所定のガスの検知結果を拡大表示するとともに、所定のガスの濃度が所定の範囲を超えていることを示す文字を、第１の表示状態における複数のガスの各々の検知結果の表示領域のうちの所定のガスの表示領域に隣接する領域に、表示するように構成されている。
この発明の第２の局面による警報器では、上記のように、所定のガスの濃度が所定の範囲を超える場合に、所定のガス以外のガスのうちの少なくとも一部の検知結果は表示部に表示されずに所定のガスの検知結果が表示部に拡大表示される第２の表示状態に切り替わるように構成する。これにより、所定のガスの濃度が所定の範囲を超えた場合に表示部に所定のガスの検知結果が拡大表示されるので、いずれのガスの濃度が所定の範囲を超えたかをユーザに明確に認識させることができる。
【００１０】
上記第１または第２の局面による警報器において、好ましくは、所定のガスの濃度が所定の範囲を超える場合に、第１の表示状態と第２の表示状態とが交互に切り替わるように構成されている。このように構成すれば、所定のガスのみが拡大表示される第２の表示状態に切り替わることにより、ユーザに対して所定のガスの濃度が所定の範囲を超えたことを明確に認識させることができるとともに、各々のガスの検知結果が同時に表示される第１の表示状態に切り替わることにより、ユーザに対して所定のガス以外のガスの検知結果も提示することができる。これにより、ユーザの利便性を向上させることができる。
【００１１】
上記第１または第２の局面による警報器において、好ましくは、ガス校正の場合に、校正対象ガスの検知結果が表示部に拡大表示される第３の表示状態に切り替わるか、または、警報器本体に異常が生じた場合に、異常の情報が表示部に拡大表示される第４の表示状態に切り替わるかの少なくとも一方が行われるように構成されている。このように構成すれば、ガス校正の場合には、校正対象ガスの検知結果をユーザに明確に認識させることができるので、ガス校正を容易に行うことができる。また、警報器本体に異常が生じた場合には、ユーザは、異常の発生と異常の内容とをユーザに明確に認識させることができる。
【００１２】
上記第１または第２の局面による警報器において、好ましくは、ガス検知部と表示部とが配置され、携帯可能な大きさに形成された警報器本体をさらに備える。このように構成すれば、警報器本体が携帯可能な大きさであることに起因して表示部の大きさが制限される場合であっても、所定のガスの濃度が所定の範囲を超える場合に、所定のガスの検知結果が表示部に拡大表示されるので、大きさが制限された表示部であっても所定のガスの濃度が所定の範囲を超えたことをユーザに明確に認識させることができる。
【発明の効果】
【００１３】
本発明によれば、上記のように、いずれのガスの濃度が所定の範囲を超えたかをユーザに明確に認識させることができる。
【図面の簡単な説明】
【００１４】
【図１】本発明の第１実施形態による警報器を示した斜視図である。
【図２】本発明の第１実施形態による警報器の構成を示したブロック図である。
【図３】本発明の第１実施形態による警報器の表示部におけるセグメントをすべて点灯した状態を示した図である。
【図４】本発明の第１実施形態による警報器の表示部における非警報時の第１の表示状態を示した図である。
【図５】本発明の第１実施形態による警報器の表示部における警報時の表示状態の切り替わりを示した図である。
【図６】本発明の第１実施形態の第１変形例による警報器の表示部における警報時の表示状態の切り替わりを示した図である。
【図７】本発明の第１実施形態の第１変形例による警報器の表示部における警報時の表示状態の切り替わりを示した図である。
【図８】本発明の第１実施形態の第２変形例による警報器の表示部における警報時の表示状態の切り替わりを示した図である。
【図９】本発明の第２実施形態による警報器のガス校正の場合に表示部に表示される第３の表示状態を示した図である。
【図１０】本発明の第２実施形態による警報器の異常が発生した場合に表示部に表示される第４の表示状態を示した図である。
【発明を実施するための形態】
【００１５】
以下、本発明を具体化した実施形態を図面に基づいて説明する。
【００１６】
（第１実施形態）
まず、図１〜図５を参照して、本発明の第１実施形態による警報器１００の全体構成について説明する。
【００１７】
本発明の第１実施形態による警報器１００は、４種のガス（可燃性ガス（ｃｏｍｂｕｓｔｉｂｌｅ  ｇａｓ、ＣＯＭＢ）、酸素（Ｏ２）、硫化水素（Ｈ２Ｓ）、および、一酸化炭素（ＣＯ））を検知可能なガス警報器である。この警報器１００は、可搬型であり図示しない電池によって駆動される。
【００１８】
警報器１００は、図１に示すように、携帯可能な大きさの警報器本体１と、警報器本体１の下側（Ｚ２側）に設けられたセンサ部２と、警報器本体１の正面側（Ｘ１側）に設けられた表示部３、ＬＥＤ部４、警報ランプ部５および操作部６とを備えている。また、図２に示すように、警報器本体１の内部には、ブザー部７と、制御部８と、記憶部９とが配置されている。なお、センサ部２は、本発明の「ガス検知部」の一例である。
【００１９】
警報器本体１は、図１に示すように、直方体の外観形状を有している。また、センサ部２は、可燃性ガスを検知する接触燃焼式の可燃性ガスセンサ２１と、一酸化炭素を検知する定電位電解式のＣＯセンサ２２と、硫化水素を検知する定電位電解式のＨ２Ｓセンサ２３と、酸素を検知するガルバニ電池式のＯ２センサ２４とを含んでいる。この結果、センサ部２は、複数（４種）のガスを検知可能に構成されている。なお、４つのセンサ２１〜２４は、警報器本体１の下側（Ｚ２側）にＹ方向に並ぶように設けられた４つのガス検知口２ａの内部にそれぞれ配置されている。
【００２０】
ここで、４種のガスのうち、可燃性ガス、硫化水素および一酸化炭素に関しては、濃度が大きくなるにしたがって危険性が大きくなる一方、酸素に関しては、所定の濃度よりも濃度が小さくなるにしたがって危険性が大きくなる。
【００２１】
表示部３は、Ｘ１側から見て、横方向（Ｙ方向）に長い矩形形状を有している。また、表示部３は、暗所であっても表示部３の表示を確認可能にするためのバックライト３ａ（図２参照）が設けられている。なお、表示部３の具体的な表示内容については後述する。
【００２２】
ＬＥＤ部４は、表示部３の下方（Ｚ２側）に設けられている。このＬＥＤ部４では、４つの色の異なるＬＥＤ４１〜４４がＹ方向に並ぶように配置されている。具体的には、ＬＥＤ部４では、Ｙ１側からＹ２側に向かって、可燃性ガスに対応する可燃性ガス用ＬＥＤ４１、一酸化炭素に対応するＣＯ用ＬＥＤ４２、硫化水素に対応するＨ２Ｓ用ＬＥＤ４３、および、酸素に対応するＯ２用ＬＥＤ４４がこの順に配置されている。なお、この４つのＬＥＤ４１〜４４には、それぞれ、可燃性ガス、酸素、硫化水素および一酸化炭素に対応する色のＬＥＤが用いられている。また、ＬＥＤ部４は、警報時や校正時に、後述する警報対象ガスや校正対象ガスに対応するＬＥＤを点灯または点滅させることによって、警報対象ガスや校正対象ガスをユーザに認識させやすくする機能を有している。
【００２３】
警報ランプ部５は、Ｙ方向の両側端部にそれぞれ設けられている。この警報ランプ部５は、赤色ＬＥＤ（図示せず）を含んでおり、警報時に赤色ＬＥＤが点灯または点滅することによって、警報をユーザに報知する機能を有している。
【００２４】
操作部６は、表示部３とＬＥＤ部４との間に設けられている。この操作部６は、一対のボタン部６１を含んでいる。ユーザは、ボタン部６１を操作することによって、警報器１００に対する種々の指示を行うことが可能である。
【００２５】
図２に示すように、ブザー部７は、警報時に、警報としてのブザー音を発生させることによって、警報をユーザに報知する機能を有している。制御部８は、図示しないＣＰＵなどを含み、後述する拡大表示（第２の表示状態）に関する制御を含む警報器１００全体の制御を行うように構成されている。記憶部９は、図示しないＲＯＭやＲＡＭを含み、制御部８の制御において用いられる各種データやプログラムなどが記憶されている。
【００２６】
次に、図３を参照して、表示部３の表示内容の詳細について説明する。
【００２７】
表示部３は、図３に示すように、所定の位置に各々配置された複数のセグメント３ｂから構成されている。このセグメント３ｂは、線状、点状、文字状、アイコン形状などの種々の形状を有している。また、セグメント３ｂは、図示しない液晶を有しており、液晶が切り替えられることによって、対応する形状（図３〜図１０では、黒塗り部分に該当）が表示部３に表示されるように構成されている。なお、表示部３を複数のセグメント３ｂから構成することによって、複数の微細な画素がマトリックス状に配置された一般的な表示部と比べて、駆動電圧を低くすることができるので、例えば容易に防爆仕様とすることができる。
【００２８】
また、表示部３は、４種のガスの検知結果がそれぞれ表示される４つの表示領域３１〜３４と、電池（電源）の状態などの情報に対応するアイコンが表示されるアイコン表示領域３５と、その他の情報が表示される情報表示領域３６とを含んでいる。具体的には、４つの表示領域３１〜３４として、可燃性ガスの検知結果が表示される可燃性ガス表示領域３１、酸素の検知結果が表示されるＯ２表示領域３２、硫化水素の検知結果が表示されるＨ２Ｓ表示領域３３、および、一酸化炭素の検知結果が表示されるＣＯ表示領域３４が表示部３に設けられている。なお、可燃性ガス表示領域３１、Ｏ２表示領域３２、Ｈ２Ｓ表示領域３３、および、ＣＯ表示領域３４は、本発明の「表示領域」の一例である。
【００２９】
可燃性ガス表示領域３１は、表示部３のＹ１側で、かつ、Ｚ１側に設けられている。また、可燃性ガス表示領域３１は、Ｚ２側の結果表示領域３１ａと、Ｚ１側の文字表示領域３１ｂとを含んでいる。結果表示領域３１ａは、７つのセグメント３ｂが組み合わされて、アラビア数字の「８」の形状を有する４つの７セグメントと、７セグメントの間に一対配置される点部とを表示可能に構成されている。なお、４つの７セグメントは、Ｙ方向に並んで配置されている。
【００３０】
また、７つのセグメント３ｂの液晶が各々制御されることによって、結果表示領域３１ａの４つの７セグメントは、各々、０〜９までのアラビア数字やアルファベットを表示可能なように構成されている。これにより、結果表示領域３１ａでは、４つのセグメントと点部とを用いることによって、小数点第３桁（たとえば、０．０００）から４桁（たとえば、９９９９）までの数字を表示することが可能であり、この結果、結果表示領域３１ａは、可燃性ガスの検知結果（濃度）の数値（０〜１００（％ＬＥＬ））を表示可能に構成されている。
【００３１】
文字表示領域３１ｂは、可燃性ガスを意味する「ＣＯＭＢ」と、検知された可燃性ガスの濃度（％ＬＥＬ）が可燃性ガスに設定された第１の警報閾値を超える場合（第１段階の警報の場合）に点灯される「ＡＬ１」と、第１の警報閾値よりも大きな第２の警報閾値を超える場合（第２段階の警報の場合）に点灯される「ＡＬ２」と、可燃性ガスの単位「％ＬＥＬ」とを表示可能に構成されている。なお、第２段階の警報は、第１段階の警報よりも、ブザーの周期や音量を変更、例えばブザー周期を短くしたり、音量を大きくしたりするなどユーザにより認識されやすいように設定されている。
【００３２】
Ｏ２表示領域３２は、表示部３のＹ１側で、かつ、Ｚ２側に設けられている。また、Ｏ２表示領域３２は、Ｚ１側の結果表示領域３２ａと、Ｚ２側の文字表示領域３２ｂとを含んでいる。結果表示領域３２ａは、結果表示領域３１ａと略同様の構成を有しており、この結果、結果表示領域３２ａは、酸素の検知結果（濃度）の数値（００．０〜５０．０（ｖｏｌ％））を表示可能に構成されている。文字表示領域３２ｂは、酸素を意味する「Ｏ２」と、検知された酸素濃度（ｖｏｌ％）が酸素に設定された第１の警報閾値を下回る場合（第１段階の警報の場合）に点灯される「ＡＬ１」と、第１の警報閾値よりも小さな第２の警報閾値を下回る場合（第２段階の警報の場合）に点灯される「ＡＬ２」と、酸素の単位「ｖｏｌ％」とを表示可能に構成されている。
【００３３】
Ｈ２Ｓ表示領域３３は、表示部３のＹ２側で、かつ、Ｚ１側に設けられている。また、Ｈ２Ｓ表示領域３３は、Ｚ２側の結果表示領域３３ａと、Ｚ１側の文字表示領域３３ｂとを含んでいる。結果表示領域３３ａは、結果表示領域３１ａと略同様の構成を有しており、この結果、結果表示領域３３ａは、硫化水素の検知結果（濃度）の数値（０００．０〜１５０．０（ｐｐｍ））を表示可能に構成されている。文字表示領域３３ｂは、硫化水素を意味する「Ｈ２Ｓ」と、検知された硫化水素濃度（ｐｐｍ）が硫化水素に設定された第１の警報閾値を超える場合（第１段階の警報の場合）に点灯される「ＡＬ１」と、第１の警報閾値よりも大きな第２の警報閾値を超える場合（第２段階の警報の場合）に点灯される「ＡＬ２」と、硫化水素の単位「ｐｐｍ」とを表示可能に構成されている。
【００３４】
ＣＯ表示領域３４は、表示部３のＹ２側で、かつ、Ｚ２側に設けられている。また、ＣＯ表示領域３４は、Ｚ１側の結果表示領域３４ａと、Ｚ２側の文字表示領域３４ｂとを含んでいる。結果表示領域３４ａは、結果表示領域３１ａと略同様の構成を有しており、この結果、結果表示領域３４ａは、一酸化炭素の検知結果（濃度）の数値（００００〜２０００（ｐｐｍ））を表示可能に構成されている。文字表示領域３４ｂは、一酸化炭素を意味する「ＣＯ」と、検知された一酸化炭素濃度（ｐｐｍ）が一酸化炭素濃度に設定された第１の警報閾値を超える場合（第１段階の警報の場合）に点灯される「ＡＬ１」と、第１の警報閾値よりも大きな第２の警報閾値を超える場合（第２段階の警報の場合）に点灯される「ＡＬ２」と、一酸化炭素の単位「ｐｐｍ」とを表示可能に構成されている。なお、文字表示領域３４ｂでは、一酸化炭素の単位（硫化水素の単位、ｐｐｍ）の他に、可燃性ガスの単位（％ＬＥＬ）および酸素の単位（ｖｏｌ％）も表示可能に構成されている。
【００３５】
この結果、図４に示すように、４種のガスのいずれのガスも第１段階の警報および第２段階の警報の場合に該当しない非警報時では、４種のガスの各々の検知結果が同時に表示部３に表示される第１の表示状態で表示されるように構成されている。この第１の表示状態では、４つの結果表示領域３１ａ〜３４ａのそれぞれに、対応するガスの検知結果が数値として表示されている。また、文字表示領域３１ｂ〜３４ｂに対応するガスの種別および単位が表示される一方、いずれの文字表示領域にも、第１段階の警報および第２段階の警報の場合であることを示す「ＡＬ１」および「ＡＬ２」は表示されていない。
【００３６】
また、図３に示すように、結果表示領域３１ａ〜３４ａは、共に、表示部３の中央部側に設けられている。これにより、可燃性ガス表示領域３１の結果表示領域３１ａは、Ｚ２側でＯ２表示領域３２の結果表示領域３２ａと隣接するとともに、Ｙ２側でＨ２Ｓ表示領域３３の結果表示領域３３ａと隣接している。また、Ｏ２表示領域３２の結果表示領域３２ａは、Ｙ２側でＣＯ表示領域３４の結果表示領域３４ａと隣接している。また、Ｈ２Ｓ表示領域３３の結果表示領域３３ａは、Ｚ２側でＣＯ表示領域３４の結果表示領域３４ａと隣接している。
【００３７】
アイコン表示領域３５は、表示部３のＹ１側の側端部近傍に設けられている。また、アイコン表示領域３５は、Ｚ１側からＺ２側に向かって順に、電池の残量を示す電池アイコン、ガスの検知結果のうちの最大の検知結果の値のみを表示するモードがユーザに選択された際に表示されるＰＥＡＫアイコン、消費電力を削減するモードがユーザに選択された際に表示されるｅｃｏアイコン、ブザー音を発生させないモードがユーザに選択された際に表示されるミュートアイコン、および、図示しない無線部を用いた無線通信状態であることを示す通信アイコンが表示可能に構成されている。
【００３８】
情報表示領域３６は、表示部３のＺ２側の側端部近傍に設けられている。また、情報表示領域３６は、１６つのセグメント３ｂが組み合わされた８つの１６セグメントと、１６セグメントの間などに配置される点部とを表示可能に構成されている。なお、８つの１６セグメントは、Ｙ方向に並んで配置されている。この結果、１６つのセグメント３ｂの点灯の有無が各々制御されることによって、情報表示領域３６の８つの１６セグメントは、各々、０〜９までのアラビア数字やアルファベットを７セグメントよりも緻密に表示可能なように構成されている。なお、図４に示すように、情報表示領域３６には、日時や気温、後述する拡大表示された警報ガスの種別（図５参照）などが表示可能なように構成されている。
【００３９】
また、情報表示領域３６のＹ２側には、丸形状表示部３７が設けられている。この丸形状表示部３７は、警報器１００に後付の機能を追加した場合に、丸形状表示部３７の点灯の有無によって、追加した機能が稼働しているか否かをユーザが確認可能なように構成されている。
【００４０】
ここで、第１実施形態では、警報器１００は、制御部８の制御により、４種のガスのうちの１種以上のガス（警報対象ガス）の濃度が対応する所定の範囲（正常範囲）を超える場合（警報時）に、警報対象ガス以外のガスの検知結果（濃度）は表示部３に表示されずに警報対象ガスの検知結果（濃度）が表示部３に拡大表示される第２の表示状態に、第１の表示状態から切り替わるように構成されている。具体的には、４種のガスのうち酸素を除く所定のガスでは、所定の範囲（正常範囲）は、０から第１の警報閾値までの範囲に設定されている。また、酸素では、所定の範囲（正常範囲）は第１の警報閾値から所定の上限値（たとえば、２５．０（ｖｏｌ％））までの範囲に設定されている。そして、警報器１００は、酸素を除く所定のガスにおいては、所定のガスの濃度が対応する第１の警報閾値を超える場合に、第２の表示状態に切り替わるように構成されているとともに、酸素においては、酸素の濃度が対応する第１の警報閾値を下回る場合に、第２の表示状態に切り替わるように構成されている。
【００４１】
この際、警報対象ガスのみの検知結果が拡大表示される第２の表示状態では、結果表示領域３１ａ〜３４ａの７セグメントおよび点部が組み合わされることによって、１種の警報対象ガスの検知結果が拡大表示されるように構成されている。また、警報器１００では、４種のガスの各々の検知結果を同時に表示する第１の表示状態と、第２の表示状態とが所定の時間（たとえば、約１秒）毎に切り替わるように構成されている。
【００４２】
第１実施形態の一例として、２種のガス（酸素および一酸化炭素）が所定の範囲内である一方、２種のガス（可燃性ガスおよび硫化水素）が所定の範囲を超える（第２の警報閾値以上である）ことにより、警報対象ガスである場合について説明する。この場合、表示部３における表示は、図５のように切り替わる。具体的には、表示部３では、警報対象ガスである可燃性ガスのみの検知結果が拡大表示される第２の表示状態と、警報対象ガスである硫化水素のみの検知結果が拡大表示される第２の表示状態と、４種のガスの各々の検知結果が同時に表示される第１の表示状態とが、所定の時間毎にループ状に切り替わる。つまり、この場合、第１の表示状態と２つの第２の表示状態とが交互に切り替わる。
【００４３】
図５の上側に図示された可燃性ガスのみの検知結果が拡大表示される第２の表示状態では、結果表示領域３１ａ〜３４ａの７セグメントおよび点部が組み合わされることによって、可燃性ガスの検知結果（濃度）の数値（１００）が拡大表示されている。同様に、図５の中央に図示された硫化水素のみの検知結果が拡大表示される第２の表示状態では、結果表示領域３１ａ〜３４ａの７セグメントおよび点部が組み合わされることによって、硫化水素の検知結果（濃度）の数値（９４．０）が拡大表示されている。ここで、第２の表示状態では、第１の表示状態（４種ガス表示の場合）において結果表示領域３１ａ〜３４ａに各々表示される検知結果の２倍近い大きさで、警報対象ガスの検知結果が拡大表示されるように構成されている。
【００４４】
なお、図５の上側および中央に図示された第２の表示状態では、情報表示領域３６の１６セグメントが組み合わされることによって、検知結果を拡大表示している警報対象ガスの名称または略称（ＣＯＭＢまたはＨ２Ｓ）が表示されている。なお、この情報表示領域３６には、他の情報を表示してもよい。たとえば、警報を行うか否かがＴＷＡ（Ｔｉｍｅ  Ｗｅｉｇｈｔｅｄ  Ａｖｅｒａｇｅ）や、ＳＴＥＬ（Ｓｈｏｒｔ  Ｔｅｒｍ  Ｅｘｐｏｓｕｒｅ  Ｌｉｍｉｔ）に基づく場合には、情報表示領域３６に警報対象ガスの名称または略称に加えて、「ＴＷＡ」や「ＳＴＥＬ」も表示してもよい。
【００４５】
また、第２の表示状態では、表示部３のＹ２側で、かつ、Ｚ１側のＨ２Ｓ表示領域３３の文字表示領域３３ｂにおいて、「ＡＬ２」が点灯されている。これにより、拡大表示されている警報対象ガスの濃度が第２の警報閾値以上であることをユーザに報知することが可能である。また、第２の表示状態では、表示部３のＹ２側で、かつ、Ｚ２側のＣＯ表示領域３４の文字表示領域３４ｂにおいて、拡大表示されている警報対象ガスの単位が表示されている。
【００４６】
図５の下側に図示された４種のガスの各々の検知結果が同時に表示される第１の表示状態では、警報対象ガス（可燃性ガスおよび硫化水素）に対応する文字表示領域３１ｂおよび３３ｂに「ＡＬ２」が表示される点を除いて、図４に示す非警報時の第１の表示状態と同様に表示が行われる。
【００４７】
ここで、１種のガスのみが警報対象ガスである場合には、表示部３では、第１の表示状態と１つの第２の表示状態とが交互に切り替えられる。また、３種のガスが警報対象ガスである場合には、表示部３では、第１の表示状態と３つの第２の表示状態とが交互に切り替えられる。また、４種のガスの全てが警報対象ガスである場合には、表示部３では、第１の表示状態と４つの第２の表示状態とが交互に切り替えられる。
【００４８】
また、警報時には、表示部３のバックライト３ａを点灯させるように構成されている。これにより、警報対象ガスの存在をユーザに確実に認識させることが可能である。この際、ＬＥＤ部４と同様に、バックライト３ａの色を警報対象ガスに対応する色にすることによって、警報対象ガスの存在だけでなく、警報対象ガスのガス種もユーザに認識させることが可能である。
【００４９】
また、警報対象ガスの濃度が所定の範囲（正常範囲）内になり、警報対象ガスでなくなった際には、警報器１００は、制御部８の制御により、図４に示す非警報時の第１の表示状態になった後に、一度だけ、警報対象ガスでなくなったガスの検知結果のみを拡大表示する第２の表示状態になる（図５参照）ように構成されている。これにより、警報対象ガスでなくなったガスを、ユーザに容易に認識させることが可能である。
【００５０】
第１実施形態では、以下のような効果を得ることができる。
【００５１】
第１実施形態では、上記のように、４種のガスのうちの１種以上のガス（警報対象ガス）の濃度が対応する所定の範囲を超える場合に、警報対象ガス以外のガスの検知結果は表示部３に表示されずに警報対象ガスの検知結果が表示部３に拡大表示される第２の表示状態に切り替わるように構成する。これにより、所定のガス（警報対象ガス）の濃度が所定の範囲を超える場合に表示部３に警報対象ガスの検知結果のみが拡大表示されるので、いずれのガスの濃度が所定の範囲を超えたかをユーザに明確に認識させることができる。
【００５２】
また、第１実施形態では、警報対象ガスのみの検知結果が拡大表示される第２の表示状態では、結果表示領域３１ａ〜３４ａの７セグメントおよび点部が組み合わされることによって、警報対象ガスの検知結果が拡大表示されるように構成する。これにより、複数の微細な画素がマトリックス状に配置された一般的な表示部と比べて、表示サイズの切り替えが容易ではない複数のセグメント３ｂから表示部３が構成されている場合であっても、複数のセグメント３ｂを組み合わせて警報対象ガスの検知結果を表示部３に拡大表示することにより、いずれのガスの濃度が所定の範囲を超えたかをユーザに明確に認識させることができる。また、複数のセグメント３ｂから表示部３を構成することによって、複数の微細な画素がマトリックス状に配置された一般的な表示部と比べて、表示部３にガスの検知結果を表示するための制御を簡素化することができる。
【００５３】
また、第１実施形態では、所定のガスの濃度が所定の範囲を超える警報時に、第１の表示状態と第２の表示状態とが交互に切り替わるように構成する。これにより、警報対象ガスのみが拡大表示される第２の表示状態に切り替わることにより、ユーザに対して所定のガスの濃度が所定の範囲を超えたことを明確に認識させることができるとともに、各々のガスの検知結果が同時に表示される第１の表示状態に切り替わることにより、ユーザに対して警報対象ガス以外のガスの検知結果も提示することができる。これにより、ユーザの利便性を向上させることができる。
【００５４】
また、第１実施形態では、警報器１００が、ガス検知部２と表示部３とが配置され、携帯可能な大きさに形成された警報器本体１を備えることによって、警報器本体１が携帯可能な大きさであることに起因して表示部３の大きさが制限される場合であっても、警報対象ガスの濃度が所定の範囲を超える場合に、警報対象ガスの検知結果が表示部３に拡大表示されるので、大きさが制限された表示部３であっても警報対象ガスの濃度が所定の範囲を超えたことをユーザに明確に認識させることができる。
【００５５】
（第１実施形態の第１変形例）
次に、図６および図７を参照して、本発明の第１実施形態の第１変形例について説明する。この第１実施形態の第１変形例では、第２の表示状態において１種の警報対象ガスの検知結果のみが拡大表示される上記第１実施形態とは異なり、第２の表示状態において２種の警報対象ガスの検知結果が同時に拡大表示される場合について説明する。なお、上記第１実施形態と同一の構成については、同じ符号を付してその説明を省略する。
【００５６】
本発明の第１実施形態の第１変形例では、２種以上の警報対象ガスが存在する場合に、４種のガスの各々の検知結果を同時に表示する第１の表示状態と、警報対象ガス以外のガスの検知結果は表示部２０３に表示されずに、２種の警報対象ガスの検知結果（濃度）が表示部２０３に同時に拡大表示される第２の表示状態とが所定の時間（たとえば、約１秒）毎に切り替わるように構成されている。
【００５７】
この際、２種の警報対象ガスの検知結果が同時に拡大表示される第２の表示状態では、４つの結果表示領域３１ａ〜３４ａのうち隣接する一対の結果表示領域の７セグメントおよび点部がそれぞれ組み合わされることによって、２種の警報対象ガスの検知結果が拡大表示されるように構成されている。具体的には、図６の上側に示すように、Ｚ方向に隣接する結果表示領域３１ａおよび３２ａの７セグメントおよび点部が組み合わされることによって、一方の警報対象ガスの検知結果がＺ方向に拡大表示されるとともに、Ｚ方向に隣接する結果表示領域３３ａおよび３４ａの７セグメントおよび点部が組み合わされることによって、他方の警報対象ガスの検知結果がＺ方向に拡大表示されるように構成されている。また、図７の上側に示すように、Ｙ方向に隣接する結果表示領域３１ａおよび３３ａの７セグメントおよび点部が組み合わされることによって、一方の警報対象ガスの検知結果がＹ方向に拡大表示されるとともに、Ｙ方向に隣接する結果表示領域３２ａおよび３４ａの７セグメントおよび点部が組み合わされることによって、他方の警報対象ガスの検知結果がＹ方向に拡大表示されるように構成されている。
【００５８】
ここで、第２の表示状態において、図６のように警報対象ガスの検知結果がＺ方向に拡大表示されるか、または、図７のように警報対象ガスの検知結果がＹ方向に拡大表示されるかは、４種のガスの各々の検知結果を同時に表示する第１の表示状態における各々のガスの表示位置で定められる。具体的には、Ｙ方向に隣接するガスが共に警報対象ガスである場合（可燃性ガスと硫化水素、または、酸素と一酸化炭素）には、第２の表示状態において警報対象ガスの検知結果はＺ方向に拡大表示される。一方、Ｚ方向に隣接するガスが共に警報対象ガスである場合（可燃性ガスと酸素、または、硫化水素と一酸化炭素）には、第２の表示状態において警報対象ガスの検知結果はＹ方向に拡大表示される。なお、２種の警報対象ガスがＺ方向およびＹ方向に隣接しない場合（可燃性ガスと一酸化炭素硫化水素、または、酸素と硫化水素）には、第２の表示状態において警報対象ガスの検知結果はＺ方向またはＹ方向のいずれか一方に拡大表示される。
【００５９】
第１実施形態の第１変形例の一例として、２種のガス（酸素および一酸化炭素）が所定の範囲内である一方、２種のガス（可燃性ガスおよび硫化水素）が所定の範囲を超えた警報対象ガスである場合について説明する。この場合、２種の警報対象ガスがＹ方向に隣接することにより、表示部２０３における表示は、図６のように切り替わる。具体的には、表示部２０３では、警報対象ガスである可燃性ガスおよび硫化水素の検知結果（濃度）が同時にＺ方向に拡大表示される第２の表示状態と、４種のガスの各々の検知結果（濃度）が同時に表示される第１の表示状態とが、所定の時間毎に交互に切り替わる。
【００６０】
図６の上側に図示された可燃性ガスおよび硫化水素の検知結果が同時に拡大表示される第２の表示状態では、可燃性ガスの検知結果（濃度）の数値（１００）が、表示部２０３のＹ１側においてＺ方向に拡大表示されているとともに、硫化水素の検知結果（濃度）の数値（９４．０）が、表示部２０３のＹ２側においてＺ方向に拡大表示されている。また、第２の表示状態では、警報対象ガスである可燃性ガスおよび硫化水素にそれぞれ対応する文字表示領域３１ｂおよび３３ｂにおいて、「ＡＬ１」以外が点灯されている。これにより、Ｚ方向に拡大表示された一対の数値が、それぞれ、可燃性ガスの検知結果の数値および硫化水素の検知結果の数値であることをユーザに認識させることが可能である。
【００６１】
第１実施形態の第１変形例の別例として、２種のガス（硫化水素および一酸化炭素）が所定の範囲内である一方、２種のガス（可燃性ガスおよび酸素）が所定の範囲を超えた警報対象ガスである場合について説明する。この場合、２種の警報対象ガスがＺ方向に隣接することにより、表示部２０３における表示は、図７のように切り替わる。具体的には、表示部２０３では、警報対象ガスである可燃性ガスおよび酸素の検知結果が同時にＹ方向に拡大表示される第２の表示状態と、４種のガスの各々の検知結果が同時に表示される第１の表示状態とが、所定の時間毎に交互に切り替わる。
【００６２】
図７の上側に図示された可燃性ガスおよび酸素の検知結果が同時に拡大表示される第２の表示状態では、可燃性ガスの検知結果（濃度）の数値（１００）が、表示部２０３のＺ１側においてＹ方向に拡大表示されているとともに、酸素の検知結果（濃度）の数値（１８．５）が、表示部２０３のＺ２側においてＹ方向に拡大表示されている。また、第２の表示状態では、警報対象ガスである可燃性ガスおよび硫化水素にそれぞれ対応する文字表示領域３１ｂおよび３２ｂにおいて、それぞれ、「ＡＬ１」以外、および、「ＡＬ２」以外が点灯されている。これにより、Ｙ方向に拡大表示された一対の数値が、それぞれ、可燃性ガスの検知結果の数値および酸素の検知結果の数値であることをユーザに認識させることが可能である。
【００６３】
なお、図６および図７の下側に図示された４種のガスの各々の検知結果が同時に表示される第１の表示状態、および、その他の構成は、上記第１実施形態と同様である。
【００６４】
第１実施形態の第１変形例では、以下のような効果を得ることができる。
【００６５】
第１実施形態の第１変形例では、上記のように、第２の表示状態では、２種の警報対象ガスの検知結果を同時に拡大表示するように構成する。これにより、２種の警報対象ガスを拡大表示された状態で同時にユーザに認識させることができるので、２種の警報対象ガスをユーザに明確に認識させることができる。なお、第１実施形態の第１変形例のその他の効果は、上記第１実施形態と同様である。
【００６６】
（第１実施形態の第２変形例）
次に、図８を参照して、本発明の第１実施形態の第２変形例について説明する。この第１実施形態の第２変形例では、第２の表示状態において１種の警報対象ガスの検知結果のみが拡大表示される上記第１実施形態とは異なり、第２の表示状態において１種の警報対象ガスの検知結果に加えて、他の２種のガスが表示される場合について説明する。なお、上記第１実施形態と同一の構成については、同じ符号を付してその説明を省略する。
【００６７】
本発明の第１実施形態の第２変形例では、４種のガスの各々の検知結果を同時に表示する第１の表示状態と、警報対象ガス以外のガスのうちの１種の検知結果（濃度）は表示部３０３に表示されずに、１種の警報対象ガスの検知結果（濃度）が表示部３０３に拡大表示されるとともに、２種のガスの検知結果（濃度）が表示部３０３に表示される第２の表示状態とが所定の時間（たとえば、約１秒）毎に切り替わるように構成されている。
【００６８】
この際、１種の警報対象ガスの検知結果が表示部３０３に拡大表示されるとともに、２種のガスの検知結果が表示部３０３に表示される第２の表示状態では、結果表示領域３１ａ〜３４ａのうちの隣接する一対の結果表示領域の７セグメントおよび点部が組み合わされることによって、１種の警報対象ガスの検知結果が拡大表示されるように構成されている。具体的には、図８の上側に示すように、Ｚ方向に隣接する一対の結果表示領域の７セグメントおよび点部が組み合わされることによって、１種の警報対象ガスの検知結果がＺ方向に拡大表示されるように構成されている。なお、Ｙ方向に隣接する一対の結果表示領域の７セグメントおよび点を組み合わせて、１種の警報対象ガスの検知結果がＹ方向に拡大表示されるように構成してもよい。
【００６９】
ここで、第２の表示状態において検知結果がＹ１側で拡大表示されるか、または、Ｙ２側で拡大表示されるかは、４種のガスの各々の検知結果を同時に表示する第１の表示状態における各々のガスの表示位置で定められる。具体的には、第１の表示状態においてＹ１側に表示されるガスが警報対象ガスである場合（可燃性ガスまたは酸素）には、第２の表示状態において検知結果はＹ１側で拡大表示される。一方、第１の表示状態においてＹ２側に表示されるガスが警報対象ガスである場合（硫化水素または一酸化炭素）には、第２の表示状態において検知結果はＹ２側で拡大表示される。
【００７０】
第１実施形態の第２変形例の一例として、３種のガス（酸素、硫化水素および一酸化炭素）が所定の範囲内である一方、１種のガス（可燃性ガス）が所定の範囲を超えた警報対象ガスである場合について説明する。この場合、表示部３０３における表示は、図８のように切り替わる。具体的には、表示部３０３では、警報対象ガスである可燃性ガスの検知結果が拡大表示されるとともに、２種のガス（硫化水素および一酸化炭素）の検知結果が表示される第２の表示状態と、４種のガスの各々の検知結果が同時に表示される第１の表示状態とが、所定の時間毎に交互に切り替わる。
【００７１】
図８の上側に図示された第２の表示状態では、可燃性ガスの検知結果（濃度）の数値（１００）が、表示部３０３のＹ１側においてＺ方向に拡大表示されているとともに、第１の表示状態と同様に、硫化水素および一酸化炭素の検知結果が、表示部３０３のＹ２側において表示されている。この結果、第２の表示状態では、酸素の検知結果は表示部３０３に表示されない。また、第２の表示状態では、警報対象ガスである可燃性ガスに対応する文字表示領域３１ｂにおいて、「ＡＬ１」以外が点灯されている一方、検知結果が表示されていない酸素に対応する文字表示領域３２ｂにおいては全てが点灯されていない。これにより、Ｚ方向に拡大表示された数値が可燃性ガスの検知結果の数値であることを、ユーザに認識させることが可能である。
【００７２】
図８の下側に図示された４種のガスの各々の検知結果が同時に表示される第１の表示状態、および、その他の構成は、上記第１実施形態と同様である。
【００７３】
第１実施形態の第２変形例では、以下のような効果を得ることができる。
【００７４】
第１実施形態の第２変形例では、上記のように、第２の表示状態では、警報対象ガス以外のガスのうちの１種の検知結果は表示部３０３に表示されずに、１種の警報対象ガスの検知結果が表示部３０３に拡大表示されるとともに、２種のガスの検知結果が表示部３０３に表示されるように構成する。これにより、１種の警報対象ガスを拡大表示することによって、ユーザは、いずれのガスの濃度が所定の範囲を超えたかをユーザに明確に認識させつつ、２種のガスの検知結果も同時にユーザに認識させることができる。なお、第１実施形態の第２変形例のその他の効果は、上記第１実施形態と同様である。
【００７５】
（第２実施形態）
次に、図２、図９および図１０を参照して、本発明の第２実施形態について説明する。この第２実施形態では、上記第１実施形態に加えて、ガス校正の場合、および、警報器本体に異常が発生した場合に、所定の情報が拡大表示される場合について説明する。なお、上記第１実施形態と同一の構成については、同じ符号を付してその説明を省略する。
【００７６】
本発明の第２実施形態では、上記第１実施形態と同様に、通常時には、４種のガスの各々の検知結果を同時に表示する第１の表示状態（図４参照）になるとともに、警報時には、警報対象ガス以外のガスの検知結果は表示されずに警報対象ガスの検知結果が拡大表示される第２の表示状態（図５参照）に切り替わるように構成されている。
【００７７】
さらに、第２実施形態では、ガス校正モードがユーザにより選択された場合などのガス校正の場合（校正時）には、図９に示すように、校正対象のガス（校正対象ガス）の検知結果（濃度）のみが表示部４０３に拡大表示される第３の表示状態に、第１の表示状態または第２の表示状態から切り替えられるように構成されている。この第３の表示状態は、情報表示領域３６に校正対象ガスの名称または略称（図９では、硫化水素（Ｈ２Ｓ））に加えて、ガス校正中であることを示す「ＣＡＬＩ（ｃａｌｉｂｒａｔｉｏｎ）」が表示される点を除いて、上記第１実施形態の１種の警報対象ガスのみが拡大表示される第２の表示状態と同様である。また、ガス校正が終了した際には表示部４０３の表示状態は、４種のガスの各々の検知結果を同時に表示する第１の表示状態（図４参照）に戻るように構成されている。
【００７８】
また、第２実施形態では、センサ部２（図２参照）の故障や、電池の電圧が規定値未満になった場合、ガス校正が正常に終了しない場合など警報器本体１（図２参照）に異常が生じた場合（エラー時）には、図１０に示すように、異常の情報が表示部４０３に拡大表示される第４の表示状態に、第１の表示状態または第２の表示状態から切り替えられるように構成されている。この第４の表示状態では、結果表示領域３１ａ〜３４ａの７セグメントおよび点部が組み合わされることによって、異常の情報「Ｅ−Ｓ」が拡大表示されている。また、この際、バックライト３ａの色を警報対象ガスに対応する色にすることによって、センサ部２のセンサ２１〜２４のうち、どのセンサが故障したかをユーザに認識させることが可能である。なお、Ｅは、異常（Ｅｒｒｏｒ）が生じたことを示し、Ｓは、センサ部２において異常が生じたことを示している。また、異常が解消した際には、表示部４０３の表示状態は、４種のガスの各々の検知結果を同時に表示する第１の表示状態（図４参照）に戻るように構成されている。
【００７９】
なお、電池（Ｂａｔｔｅｒｙ）の異常の場合には、異常の情報として、「Ｅ−Ｂ」が拡大表示され、ガス校正（Ｃａｌｉｂｒａｔａｉｏｎ）時の異常の場合には、異常の情報として、「Ｅ−Ｃ」が拡大表示される。また、情報表示領域３６には、センサ部２の４つのセンサ２１〜２４（図２参照）のうち、いずれのセンサ（図１０では、硫化水素（Ｈ２Ｓ）のＨ２Ｓセンサ２３）に異常が生じたかが表示されるように構成されている。これによっても、センサ部２のセンサ２１〜２４のうち、どのセンサが故障したかをユーザに認識させることが可能である。なお、第２実施形態のその他の構成は、上記第１実施形態と同様である。
【００８０】
第２実施形態では、以下のような効果を得ることができる。
【００８１】
第２実施形態では、上記のように、ガス校正モードがユーザにより選択された場合などのガス校正の場合には、校正対象のガス（校正対象ガス）の検知結果のみが表示部４０３に拡大表示される第３の表示状態に切り替えられるように構成する。これにより、校正対象ガスをユーザに明確に認識させることができるので、ガス校正を容易に行うことができる。
【００８２】
また、第２実施形態では、警報器本体１に異常が生じた場合には、異常の情報が表示部４０３に拡大表示される第４の表示状態に切り替えられるように構成する。これにより、ユーザは、異常の発生と異常の内容とをユーザに明確に認識させることができる。なお、第２実施形態のその他の効果は、上記第１実施形態と同様である。
【００８３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８４】
たとえば、上記第１〜第２実施形態では、表示部３（２０３、３０３、４０３）を４種のガスの検知結果を同時に表示可能に構成した例を示したが、本発明はこれに限られない。本発明では、表示部を、４種以外の複数のガス（たとえば、６種のガス）の検知結果を同時に表示可能で、かつ、所定の範囲を超えたガスの検知結果を拡大表示可能なように構成してもよい。
【００８５】
また、上記第１〜第２実施形態では、表示部３（２０３、３０３、４０３）が、所定の位置に各々配置された複数のセグメント３ｂから構成される例を示したが、本発明はこれに限られない。本発明では、表示部をセグメント以外から構成してもよい。たとえば、複数の微細な画素がマトリックス状に配置された一般的な表示部を用いてもよい。これにより、容易に、警報対象ガスまたは校正対象ガスの検知結果や、異常の情報を拡大表示することが可能である。
【００８６】
また、上記第１実施形態では、２種のガスが警報対象ガスである場合に、一方の警報対象ガスが拡大表示される第２の表示状態と、他方の警報対象ガスが拡大表示される第２の表示状態と、第１の表示状態とがループ状に切り替わることによって、第１の表示状態と２つの第２の表示状態とが交互に切り替わる例を示したが、本発明はこれに限られない。本発明では、第１の表示状態と、一方の警報対象ガスが拡大表示される第２の表示状態と、第１の表示状態と、他方の警報対象ガスが拡大表示される第２の表示状態とがループ状に切り替わることによって、第１の表示状態といずれか１つの第２の表示状態とが交互に切り替わるように構成してもよい。なお、３種または４種のガスが警報対象ガスである場合も、上記構成と同様に構成してもよい。
【００８７】
また、上記第１実施形態では、第１の表示状態と第２の表示状態とが所定の時間（たとえば、約１秒）毎に切り替わる例を示したが、本発明はこれに限られない。本発明では、第１の表示状態と第２の表示状態との切り替わる時間を可変にしてもよい。たとえば、警報対象ガスの検知結果の値自体または増加率が大きい場合に、その警報対象ガスの検知結果が拡大表示された第２の表示状態を、通常の切り替わり時間よりも長い時間保持するように構成してもよい。これにより、ユーザにその警報対象ガスの危険度が高いこと、または、危険度が急激に上昇したことを認識させることが可能である。
【００８８】
また、上記第１実施形態では、所定のガスの濃度が対応する所定の範囲を超えた場合に１種の警報対象ガスの検知結果のみが表示部３に拡大表示される第２の表示状態に切り替わる例を示した。また、上記第１実施形態の第１変形例では、所定のガスの濃度が対応する所定の範囲を超えた場合に２種の警報対象ガスの検知結果が表示部２０３に同時に拡大表示される第２の表示状態に切り替わる例を示した。また、上記第１実施形態の第２変形例では、所定のガスの濃度が対応する所定の範囲を超えた場合に１種の警報対象ガスの検知結果が表示部３０３に拡大表示されるとともに、他の２種のガスの検知結果が表示部３０３に表示される第２の表示状態に切り替わる例を示したが、本発明はこれらに限られない。本発明では、上記第１実施形態の構成と、上記第１実施形態の第１変形例の構成と、上記第１実施形態の第２変形例の構成とを組み合わせてもよい。たとえば、ガスの濃度が対応する第１の警報閾値を超える（酸素に関しては、対応する第１の警報閾値を下回る）場合には、上記第１実施形態の第１変形例の構成または上記第１実施形態の第２変形例の構成によって警報対象ガスの検知結果が表示部に拡大表示されるとともに、ガスの濃度が対応する第１の警報閾値よりも大きな第２の警報閾値を超える（酸素に関しては、対応する第２の警報閾値を下回る）場合には、上記第１実施形態の構成によって警報対象ガスの検知結果が表示部に拡大表示されるように構成してもよい。これにより、危険性が大きな第２段階の警報の場合において、第１段階の警報の場合よりも警報対象ガスの検知結果をより大きく拡大表示することができるので、ユーザにその警報対象ガスの危険度が高いか否かを表示態様によっても認識させることが可能である。
【００８９】
また、上記第１実施形態では、警報時に表示部３のバックライト３ａを点灯させる例を示したが、本発明はこれに限られない。本発明では、たとえば、第２の表示状態が所定の時間以上継続する場合や、警報対象ガスの濃度が第２の警報閾値を超える（酸素に関しては、対応する第２の警報閾値を下回る）場合にのみ、表示部のバックライトを点灯させるように構成してもよい。これにより、バックライトの点灯の有無で危険性の大きさをユーザに認識させることが可能である。また、２種以上の複数のガスが警報対象ガスである場合にのみ、表示部のバックライトを点灯させるように構成してもよい。これにより、バックライトの点灯の有無で警報対象ガスが単数であるかまたは緊急性の高い複数であるかを、ユーザに認識させることが可能である。
【００９０】
また、上記第１実施形態では、電池の残量を考慮しない例を示したが、本発明はこれに限られない。本発明では、電池の残量が少なく電池の電圧が低下した場合（電池電圧低下時）には、警報時におけるユーザへの報知を、電池の残量が多い場合（通常時）と異ならせてもよい。たとえば、電池電圧低下時には、警報対象ガスの検知結果を拡大表示する第２の表示状態の表示時間を通常時よりも長くするとともに、警報ランプ部の点滅間隔およびブザー音の発生間隔の少なくともいずれか一方を長くしてもよい。これにより、表示の切り替わりや警報ランプ部の点滅、ブザー音の発生による消費電力を低減することが可能である。また、電池電圧低下時には、第１の表示状態に切り替わった際に、ＬＥＤ部の警報対象ガスに対応するＬＥＤを点灯または点滅させ、第２の表示状態に切り替わった際に、警報対象ガスに対応するＬＥＤを点灯または点滅させないように構成してもよい。これにより、ＬＥＤ部のＬＥＤを点灯させなくてもユーザに明確に警報対象ガスを認識させることができる第２の表示状態においてＬＥＤを点灯および点滅させないことによって、ユーザに明確に警報対象ガスを認識させつつ、消費電力を低減することが可能である。
【００９１】
さらに、電池電圧低下時には、警報時におけるバックライトの点灯の回数（期間）を減少させるように構成してもよい。たとえば、第１の表示状態（４種ガス表示）の場合にのみバックライトを点灯させたり、第２の表示状態（１種ガス拡大表示）の場合にのみバックライトを点灯させたりしてもよい。なお、第１の表示状態の場合にのみバックライトを点灯させる場合には、バックライトの色を警報対象ガスに対応する色にすることによって、第１の表示状態であっても、ユーザに警報対象ガスのガス種を認識させることが可能である。これらにより、消費電力を低減することができるので、警報器の使用途中で電池の電圧が低下して警報器が警報されない状態になるのを抑制することが可能である。
【００９２】
また、上記第１〜第２実施形態では、酸素を除く所定のガスにおいては、所定のガスの濃度が対応する第１の警報閾値を超える場合に、第２の表示状態に切り替わるように構成し、酸素においては、酸素の濃度が対応する第１の警報閾値を下回る場合に、第２の表示状態に切り替わるように構成した例を示したが、本発明はこれに限られない。本発明では、第２の表示状態に切り替えるか否かを判断するために用いられる、ガスの濃度の所定の範囲の境界値（上限値または下限値）は、第１の警報閾値に限られない。つまり、ガスの濃度の所定の範囲の境界値として、第１の警報閾値とは別の閾値を用いてもよい。
【００９３】
また、上記第１〜第２実施形態では、警報器１００が検知可能な４種のガスとして、可燃性ガス、酸素、硫化水素および一酸化炭素を示したが、本発明はこれに限られない。本発明では、警報器をオゾンやアンモニアなどの他のガスを検知可能なように構成してもよい。この際、濃度が大きくなるにしたがって危険性が大きくなるガスの場合には、可燃性ガス、硫化水素および一酸化炭素と同様に、第１（第２）の警報閾値が濃度の上限値として設定される。また、濃度が小さくなるにしたがって危険性が大きくなるガスの場合には、酸素と同様に、第１（第２）の警報閾値が濃度の下限値として設定される。
【符号の説明】
【００９４】
１  警報器本体
２  センサ部（ガス検知部）
３、２０３、３０３、４０３  表示部
３ｂ  セグメント
３１  可燃性ガス表示領域（表示領域）
３２  Ｏ２表示領域（表示領域）
３３  Ｈ２Ｓ表示領域（表示領域）
３４  ＣＯ表示領域（表示領域）
１００  警報器
【図１】
0006480166.tif 000002
【図２】
0006480166.tif 000003
【図３】
0006480166.tif 000004
【図４】
0006480166.tif 000005
【図５】
0006480166.tif 000006
【図６】
0006480166.tif 000007
【図７】
0006480166.tif 000008
【図８】
0006480166.tif 000009
【図９】
0006480166.tif 000010
【図１０】
0006480166.tif 000011